(57)【要約】【課題】冷蔵庫の庫内容積効率を改善するとともに、蒸発皿の蒸発効率を向上し、メンテナンス性を優れたものにすること。【解決手段】この発明に係る冷蔵庫は、庫内空気を冷却することにより冷却器に付いた霜を溶かして庫外へ排水した除霜水を貯留し、冷媒回路の発する熱により除霜水を蒸発させる除霜水貯留容器を備えた冷蔵庫において、除霜水貯留容器の床面の任意部位を中心に、環状のリブを波紋状に設けたことを特徴とする。【選択図】　　　　図１
2004012092.tif 000002
【特許請求の範囲】
【請求項１】
庫内空気を冷却することにより冷却器に付いた霜を溶かして庫外へ排水した除霜水を貯留し、冷媒回路の発する熱により除霜水を蒸発させる除霜水貯留容器を備えた冷蔵庫において、
前記除霜水貯留容器の床面の任意部位を中心に、環状のリブを波紋状に設けたことを特徴とする冷蔵庫。
【請求項２】
庫内空気を冷却することにより冷却器に付いた霜を溶かして庫外へ排水した除霜水を貯留し、冷媒回路の発する熱により除霜水を蒸発させる除霜水貯留容器を備えた冷蔵庫において、
前記除霜水貯留容器の床面の任意部位を中心に、環状のリブを波紋状に設け、リブの高さを内側よりも外側を高くしたことを特徴とする冷蔵庫。
【請求項３】
庫内空気を冷却することにより冷却器に付いた霜を溶かして庫外へ排水した除霜水を貯留し、冷媒回路の発する熱により除霜水を蒸発させる除霜水貯留容器を備えた冷蔵庫において、
前記除霜水貯留容器の床面の任意部位を中心に、環状のリブを波紋状に設け、リブの高さを内側よりも外側を順次高くしたことを特徴とする冷蔵庫。
【請求項４】
前記環状のリブを円形状としたことを特徴とする請求項１〜３の何れかに記載の冷蔵庫。
【請求項５】
前記環状のリブを方形状としたことを特徴とする請求項１〜３の何れかに記載の冷蔵庫。
【請求項６】
前記除霜水貯留容器の床面の除霜水が滴下される部位を中心に環状のリブを波紋状に設けたことを特徴とする請求項１〜３の何れかに記載の冷蔵庫。
【請求項７】
前記除霜水貯留容器をプラスチックで構成したことを特徴とする請求項１〜６の何れかに記載の冷蔵庫。
【請求項８】
冷蔵庫の底部に設けられ、冷媒回路の一部品である圧縮機から吐出された冷媒を冷蔵庫雰囲気と熱交換し冷却するための蒸発板上に、前記除霜水貯留容器を設けたことを特徴とする請求項１〜３の何れかに記載の冷蔵庫。
【請求項９】
冷蔵庫前面間口から、前記除霜水貯留容器を出し入れ自在にしたことを特徴とする請求項８に記載の冷蔵庫。
【請求項１０】
冷媒回路の一部品である圧縮機の近傍に、前記除霜水貯留容器を設けたことを特徴とする請求項１〜３の何れかに記載の冷蔵庫。
【請求項１１】
前記除霜水貯留容器を冷蔵庫背面から出し入れ自在にしたことを特徴とする請求項１０に記載の冷蔵庫。
【請求項１２】
前記圧縮機の上方に前記除霜水貯留容器を設けたことを特徴とする請求項１０に記載の冷蔵庫。
【請求項１３】
前記圧縮機の周囲に前記除霜水貯留容器を設けたことを特徴とする請求項１０に記載の冷蔵庫。
【請求項１４】
前記除霜水貯留容器の波紋状に設けた環状のリブ中心から、放射状のリブを形成したことを特徴とする請求項１〜３の何れかに記載の冷蔵庫。
【請求項１５】
上面が開口した皿形状であり、床面の任意部位を中心に、環状のリブを波紋状に設けたことを特徴とする除霜水貯留容器。
【請求項１６】
上面が開口した皿形状であり、床面の任意部位を中心に、環状のリブを波紋状に設け、リブの高さを内側よりも外側を高くしたことを特徴とする除霜水貯留容器。
【請求項１７】
上面が開口した皿形状であり、床面の任意部位を中心に、環状のリブを波紋状に設け、リブの高さを内側よりも外側を順次高くしたことを特徴とする除霜水貯留容器。
【請求項１８】
前記環状のリブを円形状としたことを特徴とする請求項１５〜１７の何れかに記載の除霜水貯留容器。
【請求項１９】
前記環状のリブを方形状としたことを特徴とする請求項１５〜１７の何れかに記載の除霜水貯留容器。
【請求項２０】
床面の除霜水が滴下される部位を中心に環状のリブを波紋状に設けたことを特徴とする請求項１５〜１７の何れかに記載の除霜水貯留容器。
【請求項２１】
プラスチックで構成したことを特徴とする請求項１５〜１７の何れかに記載の除霜水貯留容器。
【請求項２２】
波紋状に設けた環状のリブ中心から、放射状のリブを形成したことを特徴とする請求項１５〜１７の何れかに記載の除霜水貯留容器。
【発明の詳細な説明】
【０００１】
【発明の属する技術分野】
この発明は、冷却器に付いた霜を解かして庫外へ排水した除霜水を貯留する容器を備えた冷蔵庫に関するものである。
【０００２】
【従来の技術】
図８は従来の冷蔵庫を示す断面斜視図である。図において、１は冷蔵庫本体、３は冷媒回路の冷却器、６は冷却器３の霜を解かすヒータ、８は冷却器３の除霜水を後述の蒸発皿１１に導くドレンパイプ、９は冷媒を圧縮する圧縮機、１０は圧縮機９前方に配置され圧縮機９から吐出された冷媒が通過する配管が取り付けられた蒸発板、１１は蒸発板１０上方に密着配置された蒸発皿である。
【０００３】
次に動作について説明する。冷蔵庫本体１内部の冷却器３が冷媒回路により冷却されることで冷却器３に霜が付く。冷却器３に付いた霜をヒータ６に通電等の手段で除霜・解氷した水が、ドレンパイプ８を通して蒸発皿１１に滴下され、冷媒回路によって発せられる熱により蒸発する。通常この蒸発皿１１はメンテナンスフリーであるが、修理サービスや使用者メンテナンスのために出し入れは可能になっている。
【０００４】
図９は他の従来の冷蔵庫を示す断面斜視図である。図に示すように、冷蔵庫の庫内容積効率を向上するために、蒸発皿１１は圧縮機９の上方に配置されている。
【０００５】
蒸発皿１１は貯水量を確保しつつも、できるだけ冷蔵庫内を圧迫しないサイズや薄型の形状にしなければならない。蒸発皿１１は、通常トレータイプであり、冷蔵庫本体から引き出す際や持ち上げて運搬する際に前後または左右に傾くと、排水全体が一気に移動して、蒸発皿１１外に溢れるという問題点があった。また、トレータイプの蒸発皿１１では、サイズを大きくする以外に蒸発効率を上げることは難しかった。
【０００６】
そこで、これらの問題点を解決する方法が、種々提案されている。図１０は例えば特開２０００−２５８０４２号公報に示された従来の蒸発皿の斜視図である。図に示すように、蒸発皿１１の貯留部の底板から上方へ突出形成した堰部材により、蒸発皿１１を運搬する際に蒸発皿１１を前後または左右に傾けても、貯留部内に溜まった排水全体の移動が阻止され、排水が溢れることを防止する。また、堰部材の存在により、蒸発効率も向上できるというものである。
【０００７】
図１１は例えば実開昭６２−９７４７２号公報で示された蒸発皿近傍の断面図である。図に示すように、蒸発皿１１の底面に設けた格子状中空凸部により、除霜水との接触面積を大きくとることができ、蒸発能力が向上する。
【０００８】
図１２は例えば実開平５−１０９７７号公報で示された蒸発皿近傍の断面図である。図に示すように、圧縮機９の上方に配される除霜水の蒸発皿１１の底面に凹凸部が形成されるように底面を波状成形したもので、蒸発皿１１の熱交換面積を大きくし、蒸発能力の向上を図ったものである。
【０００９】
【発明が解決しようとする課題】
従来の冷蔵庫は以上のように構成されているので、貯水量を確保するために容器深さを十分にとる必要があるので庫内容積を圧迫するなどの問題点があった。
【００１０】
また、蒸発量を確保するために容器底面形状を凹凸に形成するので、貯水量を充分に確保できない、しいては庫内容積をも確保できないなどの問題があった。
【００１１】
さらに、上記を満たす薄型の蒸発皿では、修理サービスや、使用者の清掃などメンテナンスで蒸発皿を引き出し取り出すときに除霜水が貯留しているとバランスを崩しやすく、また、蒸発皿内に堰が設けられている場合でもこれが閉じていないため蒸発皿内部で自在に除霜水が流れ、横溢するなどの問題があった。
【００１２】
この発明は、上記のような問題点を解消するためになされたもので、冷蔵庫の庫内容積効率を改善するとともに、蒸発皿の蒸発効率を向上し、メンテナンス性を優れたものにすることを目的とする。
【００１３】
【課題を解決するための手段】
この発明に係る冷蔵庫は、庫内空気を冷却することにより冷却器に付いた霜を溶かして庫外へ排水した除霜水を貯留し、冷媒回路の発する熱により除霜水を蒸発させる除霜水貯留容器を備えた冷蔵庫において、除霜水貯留容器の床面の任意部位を中心に、環状のリブを波紋状に設けたことを特徴とする。
【００１４】
また、この発明に係る冷蔵庫は、庫内空気を冷却することにより冷却器に付いた霜を溶かして庫外へ排水した除霜水を貯留し、冷媒回路の発する熱により除霜水を蒸発させる除霜水貯留容器を備えた冷蔵庫において、除霜水貯留容器の床面の任意部位を中心に、環状のリブを波紋状に設け、リブの高さを内側よりも外側を高くしたことを特徴とする。
【００１５】
また、この発明に係る冷蔵庫は、庫内空気を冷却することにより冷却器に付いた霜を溶かして庫外へ排水した除霜水を貯留し、冷媒回路の発する熱により除霜水を蒸発させる除霜水貯留容器を備えた冷蔵庫において、除霜水貯留容器の床面の任意部位を中心に、環状のリブを波紋状に設け、リブの高さを内側よりも外側を順次高くしたことを特徴とする。
【００１６】
また、この発明に係る冷蔵庫は、環状のリブを円形状としたことを特徴とする。
【００１７】
また、この発明に係る冷蔵庫は、環状のリブを方形状としたことを特徴とする。
【００１８】
また、この発明に係る冷蔵庫は、除霜水貯留容器の床面の除霜水が滴下される部位を中心に環状のリブを波紋状に設けたことを特徴とする。
【００１９】
また、この発明に係る冷蔵庫は、除霜水貯留容器をプラスチックで構成したことを特徴とする。
【００２０】
また、この発明に係る冷蔵庫は、冷蔵庫の底部に設けられ、冷媒回路の一部品である圧縮機から吐出された冷媒を冷蔵庫雰囲気と熱交換し冷却するための蒸発板上に、除霜水貯留容器を設けたことを特徴とする。
【００２１】
また、この発明に係る冷蔵庫は、冷蔵庫前面間口から、除霜水貯留容器を出し入れ自在にしたことを特徴とする。
【００２２】
また、この発明に係る冷蔵庫は、冷媒回路の一部品である圧縮機の近傍に、除霜水貯留容器を設けたことを特徴とする。
【００２３】
また、この発明に係る冷蔵庫は、除霜水貯留容器を冷蔵庫背面から出し入れ自在にしたことを特徴とする。
【００２４】
また、この発明に係る冷蔵庫は、圧縮機の上方に除霜水貯留容器を設けたことを特徴とする。
【００２５】
また、この発明に係る冷蔵庫は、圧縮機の周囲に除霜水貯留容器を設けたことを特徴とする。
【００２６】
また、この発明に係る冷蔵庫は、除霜水貯留容器の波紋状に設けた環状のリブ中心から、放射状のリブを形成したことを特徴とする。
【００２７】
この発明に係る除霜水貯留容器は、上面が開口した皿形状であり、床面の任意部位を中心に、環状のリブを波紋状に設けたことを特徴とする。
【００２８】
また、この発明に係る除霜水貯留容器は、上面が開口した皿形状であり、床面の任意部位を中心に、環状のリブを波紋状に設け、リブの高さを内側よりも外側を高くしたことを特徴とする。
【００２９】
また、この発明に係る除霜水貯留容器は、上面が開口した皿形状であり、床面の任意部位を中心に、環状のリブを波紋状に設け、リブの高さを内側よりも外側を順次高くしたことを特徴とする。
【００３０】
また、この発明に係る除霜水貯留容器は、環状のリブを円形状としたことを特徴とする。
【００３１】
また、この発明に係る除霜水貯留容器は、環状のリブを方形状としたことを特徴とする。
【００３２】
また、この発明に係る除霜水貯留容器は、床面の除霜水が滴下される部位を中心に環状のリブを波紋状に設けたことを特徴とする。
【００３３】
また、この発明に係る除霜水貯留容器は、プラスチックで構成したことを特徴とする。
【００３４】
また、この発明に係る除霜水貯留容器は、波紋状に設けた環状のリブ中心から、放射状のリブを形成したことを特徴とする。
【００３５】
【発明の実施の形態】
以下、この発明の実施の形態を図面に基づいて説明する。
実施の形態１．
図１〜４は実施の形態１を示す図で、図１は冷蔵庫を示す縦断面図、図２は冷蔵庫を示す部分斜視断面図、図３は蒸発皿を示す斜視図、図４は蒸発皿を示す断面図である。
【００３６】
図１、２において、１は冷蔵庫本体、２は冷蔵庫本体１間口側を構成する扉、３は冷媒回路の一部である冷却器、４は冷却器３近傍に配置される送風機、５は送風機４によって冷気を分配する分配器、６は冷却器３に着いた霜を解氷するためのヒータ、７はヒータ６によって解氷した除霜水を受け止める桶、８は桶７に集められた除霜水を庫外へ排水するドレンパイプ、９は冷媒回路の一部を構成し、冷媒を圧縮する圧縮機、１０は圧縮機９から吐出された冷媒を冷蔵庫雰囲気と熱交換し、冷却するための蒸発板、１１は例えばポリプロピレン等のプラスチックにて成型され、ドレンパイプ８の冷蔵庫外部出口もしくは出口から誘導された先に上を向いて開口し蒸発板１０上に冷蔵庫間口から取り外し取り付け可能に配置された除霜水貯留容器としての蒸発皿である。蒸発皿１１はプラスチック以外に、板金により構成してもよい。
【００３７】
図３、４により、蒸発皿１１の構成について説明する。図において、１２ａは蒸発皿１１のドレンパイプ８の冷蔵庫外部出口もしくは出口から誘導された端部の直下を中心として波紋状に配置されたリブの最も中央よりに配置されたリブであり、平面図形として閉じ、環状に形成されている。リブ１２ａよりも外側に同心円状にリブ１２ｂ、１２ｃ、１２ｄ等と続けて配置されている。リブ１２ｄはリブ１２ｃよりも高く、リブ１２ｃはリブ１２ｂよりも高い、リブ１２ｂはリブ１２ａよりも高く配置する。
【００３８】
次に動作について説明する。冷媒回路の働きで冷却された冷却器３に着いた霜を除霜して桶７、ドレンパイプ８を経由して冷蔵庫外へ排水された除霜水は、まず最中央リブ１２ａ内側に貯留される。貯留された除霜水は蒸発板１０の熱によって蒸発し、除霜水の床への横溢を防いでいる。リブ１２ａ内側にて貯留しきれない除霜水はリブ１２ａ外側に溢れ、リブ１２ｂ内側に貯留される。順次これが繰り返され、外側へ広がる。このとき、蒸発板１０の熱はリブ１２ａ〜１２ｅを伝導し蒸発皿１１に貯留された除霜水に伝わり蒸発を促進する。
【００３９】
リブ１２ａ〜１２ｅはそれぞれプラスチックの射出成型品で、肉厚が一般に０．５ミリから２ミリ程度の構造となり、蒸発皿１１の容積を圧迫しないので蒸発皿１１の容積効率を上げることができる。蒸発皿１１がコンパクトに配置できれば冷蔵庫庫内容積をその分確保できる。
【００４０】
また、故障時の修理や使用者による清掃などのメンテナンス時に蒸発皿１１を取り出し可能側に引き出すが、傾けて引き出したり、除霜水の入った蒸発皿１１を持ち歩く時に不安定にゆれた場合、薄く浅く配置された蒸発皿１１の内側に配置されたリブ１２ａ〜１２ｅにより、ゆれた際に発生する波を小刻みに打ち消し、除霜水の蒸発皿１１外壁からの直接の横溢を抑制することができる。
【００４１】
実施の形態２．
図５は実施の形態２を示す図で、蒸発皿の斜視図である。上記実施の形態１では蒸発皿１１の内側に配置されたリブ１２ａ〜１２ｅは同心円状に配置されたが、図５に示すように、方形を重ねて波紋状に配置してもよく、上記実施の形態１と同様の効果を奏する。
【００４２】
実施の形態３．
図６は実施の形態３を示す図で、蒸発皿の斜視図である。上記実施の形態１、２では蒸発皿１１に波紋状にリブを配置したが、図６に示すように、波紋状にリブに加えリブ中央部から放射状にリブを追加してもよく、これにより同様の効果を得る上に、蒸発皿１１の持ち運び時の変形を抑制し、除霜水の横溢を防ぐことにおいて一層の効果を得るものである。
【００４３】
実施の形態４．
図７は実施の形態４を示す図で、冷蔵庫を示す部分斜視断面図である。上記実施の形態においては、除霜水蒸発の熱源を主に蒸発板１０に求めた構造であるが、圧縮機９に熱源を求めてもよく、この場合、蒸発皿１１は圧縮機９の上方もしくは圧縮機９の周囲に配置し、冷蔵庫背面から取り出し、取り付けが可能なように支持される。図７は圧縮機上方に配置する場合について説明している。その他の構造、動作は上記実施の形態と同様である。
【００４４】
【発明の効果】
この発明の請求項１に係る冷蔵庫は、除霜水貯留容器の床面の任意部位を中心に、環状のリブを波紋状に設けたことにより、少ない除霜水貯留容器容積で効果的な除霜水の蒸発を行なうことができ、なお取り扱いにおいては除霜水の横溢を防ぐ効果が得られる。さらに、除霜水の横溢を防ぐことができるので除霜水貯留容器の深さを浅くし、庫内容積を確保しやすくできる。
【００４５】
また、この発明の請求項２に係る冷蔵庫は、除霜水貯留容器の床面の任意部位を中心に、環状のリブを波紋状に設け、リブの高さを内側よりも外側を高くしたことにより、少ない除霜水貯留容器容積で効果的な除霜水の蒸発を行なうことができ、なお取り扱いにおいては除霜水の横溢を防ぐ効果が得られる。さらに、除霜水の横溢を防ぐことができるので除霜水貯留容器の深さを浅くし、庫内容積を確保しやすくできる。
【００４６】
また、この発明の請求項３に係る冷蔵庫は、除霜水貯留容器の床面の任意部位を中心に、環状のリブを波紋状に設け、リブの高さを内側よりも外側を順次高くしたことにより、少ない除霜水貯留容器容積で効果的な除霜水の蒸発を行なうことができ、なお取り扱いにおいては除霜水の横溢を防ぐ効果が得られる。さらに、除霜水の横溢を防ぐことができるので除霜水貯留容器の深さを浅くし、庫内容積を確保しやすくできる。
【００４７】
また、この発明の請求項４に係る冷蔵庫は、環状のリブを円形状としたことにより、成形が容易にできる。
【００４８】
また、この発明の請求項５に係る冷蔵庫は、環状のリブを方形状としたことにより、除霜水の横溢を防ぐ効果が得られる。さらに、除霜水の横溢を防ぐことができるので除霜水貯留容器の深さを浅くし、庫内容積を確保しやすくできる。
【００４９】
また、この発明の請求項６に係る冷蔵庫は、除霜水貯留容器の床面の除霜水が滴下される部位を中心に環状のリブを波紋状に設けたことにより、少ない除霜水貯留容器容積で効果的な除霜水の蒸発を行なうことができ、なお取り扱いにおいては除霜水の横溢を防ぐ効果が得られる。さらに、除霜水の横溢を防ぐことができるので除霜水貯留容器の深さを浅くし、庫内容積を確保しやすくできる。
【００５０】
また、この発明の請求項７に係る冷蔵庫は、除霜水貯留容器をプラスチックで構成したことにより、生産性が向上する。
【００５１】
また、この発明の請求項８に係る冷蔵庫は、冷蔵庫の底部に設けられ、冷媒回路の一部品である圧縮機から吐出された冷媒を冷蔵庫雰囲気と熱交換し冷却するための蒸発板上に、除霜水貯留容器を設けたことにより、冷媒回路の熱により効果的に除霜水の蒸発を行うことができる。
【００５２】
また、この発明の請求項９に係る冷蔵庫は、冷蔵庫前面間口から、除霜水貯留容器を出し入れ自在にしたことにより、メンテナンスが容易に行える。
【００５３】
また、この発明の請求項１０に係る冷蔵庫は、冷媒回路の一部品である圧縮機の近傍に、除霜水貯留容器を設けたことにより、庫内容積をより確保できる。
【００５４】
また、この発明の請求項１１に係る冷蔵庫は、除霜水貯留容器を冷蔵庫背面から出し入れ自在にしたことにより、メンテナンスが容易に行える。
【００５５】
また、この発明の請求項１２に係る冷蔵庫は、圧縮機の上方に除霜水貯留容器を設けたことにより、庫内容積をより確保できる。
【００５６】
また、この発明の請求項１３に係る冷蔵庫は、圧縮機の周囲に除霜水貯留容器を設けたことにより、庫内容積をより確保できる。
【００５７】
また、この発明の請求項１４に係る冷蔵庫は、除霜水貯留容器の波紋状に設けた環状のリブ中心から、放射状のリブを形成したことにより、除霜水貯留容器の持ち運び時の変形を抑制し、除霜水の横溢を防ぐことにおいて一層の効果を得るものである。さらに、除霜水の横溢を防ぐことができるので除霜水貯留容器の深さを浅くし、庫内容積を確保しやすくできる。
【００５８】
この発明の請求項１５に係る除霜水貯留容器は、上面が開口した皿形状であり、床面の任意部位を中心に、環状のリブを波紋状に設けたことにより、少ない除霜水貯留容器容積で効果的な除霜水の蒸発を行なうことができ、なお取り扱いにおいては除霜水の横溢を防ぐ効果が得られる。
【００５９】
また、この発明の請求項１６に係る除霜水貯留容器は、上面が開口した皿形状であり、床面の任意部位を中心に、環状のリブを波紋状に設け、リブの高さを内側よりも外側を高くしたことにより、少ない除霜水貯留容器容積で効果的な除霜水の蒸発を行なうことができ、なお取り扱いにおいては除霜水の横溢を防ぐ効果が得られる。
【００６０】
また、この発明の請求項１７に係る除霜水貯留容器は、上面が開口した皿形状であり、床面の任意部位を中心に、環状のリブを波紋状に設け、リブの高さを内側よりも外側を順次高くしたことにより、少ない除霜水貯留容器容積で効果的な除霜水の蒸発を行なうことができ、なお取り扱いにおいては除霜水の横溢を防ぐ効果が得られる。
【００６１】
また、この発明の請求項１８に係る除霜水貯留容器は、環状のリブを円形状としたことにより、成形が容易にできる。
【００６２】
また、この発明の請求項１９に係る除霜水貯留容器は、環状のリブを方形状としたことにより、除霜水の横溢を防ぐ効果が得られる。
【００６３】
また、この発明の請求項２０に係る除霜水貯留容器は、床面の除霜水が滴下される部位を中心に環状のリブを波紋状に設けたことにより、少ない除霜水貯留容器容積で効果的な除霜水の蒸発を行なうことができ、なお取り扱いにおいては除霜水の横溢を防ぐ効果が得られる。
【００６４】
また、この発明の請求項２１に係る除霜水貯留容器は、プラスチックで構成したことにより、成形が容易に行える。
【００６５】
また、この発明の請求項２２に係る除霜水貯留容器は、波紋状に設けた環状のリブ中心から、放射状のリブを形成したことにより、除霜水貯留容器の持ち運び時の変形を抑制し、除霜水の横溢を防ぐことにおいて一層の効果を得るものである。
【図面の簡単な説明】
【図１】実施の形態１を示す図で、冷蔵庫を示す縦断面図である。
【図２】実施の形態１を示す図で、冷蔵庫を示す部分斜視断面図である。
【図３】実施の形態１を示す図で、蒸発皿を示す斜視図である。
【図４】実施の形態１を示す図で、蒸発皿を示す断面図である。
【図５】実施の形態２を示す図で、蒸発皿の斜視図である。
【図６】実施の形態３を示す図で、蒸発皿の斜視図である。
【図７】実施の形態４を示す図で、冷蔵庫を示す部分斜視断面図である。
【図８】従来の冷蔵庫を示す部分斜視断面図である。
【図９】他の従来の冷蔵庫を示す部分斜視断面図である。
【図１０】特開２０００−２５８０４２号公報に示された従来の蒸発皿の斜視図である。
【図１１】実開昭６２−９７４７２号公報で示された蒸発皿近傍の断面図である。
【図１２】実開平５−１０９７７号公報で示された蒸発皿近傍の断面図である。
【符号の説明】
１　冷蔵庫本体、２　扉、３　冷却器、４　送風機、５　分配器、６　ヒータ、７　桶、８　ドレンパイプ、９　圧縮機、１０　蒸発板、１１　蒸発皿、１２ａ〜１２ｅ　リブ。
【図１】
2004012092.tif 000003
【図２】
2004012092.tif 000004
【図３】
2004012092.tif 000005
【図４】
2004012092.tif 000006
【図５】
2004012092.tif 000007
【図６】
2004012092.tif 000008
【図７】
2004012092.tif 000009
【図８】
2004012092.tif 000010
【図９】
2004012092.tif 000011
【図１０】
2004012092.tif 000012
【図１１】
2004012092.tif 000013
【図１２】
2004012092.tif 000014